(57)【要約】【課題】  キャビネットセット、システムキッチンなどを構成する引出に重量物を収納した場合においても、鏡板となる横框の湾曲を防止し、下段の引出の横框との干渉を防止するとともに、デザインのバランスが崩れないようにして商品価値を低下しないようにする。【解決手段】  底板１の支承および鏡板６との連結が可能となるように形成した支承金具１０を鏡板６の背面の下端に固定するとともに、底板１の前端部１ａに形成した係止溝１ｅに前記支承金具１０の係止端１０ｂを係合してなり、前記底板１に加わる荷重が一定以上となったとき、底板１に底面が前記支承金具１０の支承辺１０ｃに接触するようにする。【選択図】  図１  
2005074093.tif 000002
【特許請求の範囲】
【請求項１】
底板の支承および鏡板との連結が可能となるように形成した支承金具を鏡板の背面の下端に固定するとともに、底板の前端部に形成した係止溝に前記支承金具の係止端を係合してなり、
前記底板に加わる荷重が一定以上となったとき、底板の底面が前記支承金具の支承辺に接触するようにしたことを特徴とする引出構造。
【請求項２】
鏡板が框組構造であることを特徴とする請求項１記載の引出構造。
【発明の詳細な説明】
【技術分野】
【０００１】
本発明は、収納物による大きな荷重を受けても鏡板の変形などの不具合が発生しないようにした引出構造に関するものである。
【背景技術】
【０００２】
一般に衣類などを収納する引出あるいは文房具などを収納する学習机の引出は、収納する物が軽量であるため、構造上の剛性を高くする手段が容易であり、補強具をネジ止めするような方法が多く採用されている（例えば、特許文献１）。
【０００３】
ところが、図６に示すようなキャビネットセットＳやシステムキッチンなどにおける食器類を収納する引出Ｓ１・Ｓ２においては、構造上の剛性には大きな配慮が必要であり、引出自体が変形しないようにしなければならない。
【０００４】
前記キャビネットＳの引出Ｓ１は内部を透視できるようにしたものであり、引出Ｓ２は外気が流通するようにしたものであるが、基本的構成は共通するもので、図７に示す分解斜視図にもとづいてその構成の概要を以下に説明する。
【０００５】
同図において、符号１は底板でありその後端１ｂは背板２の蟻溝２ａに嵌合して支持され、また、側端１ｃ・１ｄは側板３・４の蟻溝３ａ・４ａにそれぞれ嵌合して支持される。そして、前記背板２と側板３・４はその端部でダボ結合され、連結される。なお、前記側板３・４にはスライドユニットのスライダー５がそれぞれ取り付けられており、引出主体の前進後退が可能となるようにしている。
【０００６】
符号６は鏡板であり、上下の横框６ａ・６ｂと左右の縦框６ｃ・６ｄが框組され、その枠内には透視板、パンチングメタル、化粧パネルなどの覆板７を配設する。そして、縦框６ｃ・６ｄと前記側板３・４の木口がダボ結合されて一体化され、引出としての形態が完成する。しかしながら、この状態では底板１の前端１ａが浮遊状態となってしまうため、横框６ｂの中央に取り付けたＬ字金具８にネジ９によりネジ止めされ、固定される。
【特許文献１】特開２０００−２３７６９号
【発明の開示】
【発明が解決しようとする課題】
【０００７】
このように構成した従来の引出の断面構造は図８に示す状態となり、底板１の前端１ａは、Ｌ字金具８を介して横框６ｂにより支持されることになる。かかる構成において、その内部に陶磁器などのような重量物Ｗを収納し、その荷重が大きくなると図９に示すように横框６ｂが中央部から下方へ湾曲する問題が発生した。
【０００８】
このような状態になると、図１０に示すように湾曲した横框６ｂが下段の引出の横框６ａと干渉し、接触するという不具合が発生する。また、横框６ｂに継続的に下向きの応力が加わることから、横框６ｂの両端と縦框６ｃ・６ｄの下端とによる框組部分が分解され、木口部分に隙間が生じてしまうことがある。
【０００９】
さらに、直線を基調として構成されているキャビネットセットＳやシステムキッチンにおいて、一部分に曲線が生ずると、全体のデザインのバランスが崩れるため美観を損ない、商品価値を極端に低下してしまうことになる。
【課題を解決するための手段】
【００１０】
そこで本発明は、以下に述べる各手段により上記課題を解決するようにした。即ち、請求項１記載の発明では、底板の支承および鏡板との連結が可能となるようにした支承金具を鏡板の背面の下端に固定するとともに、底板の前端部に形成した係止溝に前記支承金具の係止端を係合してなり、前記底板に加わる荷重が一定以上となったとき、底板の底面が前記支承金具の支承辺に接触するようにする。
【００１１】
請求項２記載の発明では、上記請求項１記載の発明において、鏡板が框組であるものとする。
【発明の効果】
【００１２】
本発明によれば、引出の底板に加わる荷重を緩和することができるので、鏡板の下框の下方への湾曲を防止することができ、デザインのバランスを崩すことなく商品価値を維持することができる。
【発明を実施するための最良の形態】
【００１３】
本発明は、特に重量物を収納する引出を構成する場合に好適であり、最小の部品点数により低コストで実現することができる。
【実施例１】
【００１４】
以下、本発明の実施の形態を図にもとづいて詳細に説明する。なお、従来と同一の構成には同一の符号を付して説明する。
【００１５】
図１は、本発明の第１実施例の分解斜視図であり、引出主体は従来の構成と同様に、底板１の後端１ｂが背板２の蟻溝２ａに嵌合して支持され、また、側端１ｃ・１ｄは側板３・４の蟻溝３ａ・４ａにそれぞれ嵌合して支持される。そして、前記背板２と側板３・４はその端部でダボ結合され、連結される。なお、前記側板３・４にはスライドユニットのスライダー５がそれぞれ取り付けられており、引出主体の前進後退が可能となるようにしている。
【００１６】
鏡板６は、上下の横框６ａ・６ｂと左右の縦框６ｃ・６ｄが框組され、その枠内には透視板、板賃具メタル、化粧パネルなどの覆板７を配設する。そして、縦框６ｃ・６ｄと前記側板３・４の木口がダボ結合されて一体化され、引出としての形態を構成する。
【００１７】
つぎに、底板１の前端１ａの支持には、図２に示すような形状の支承金具１０が用いられる。この支承金具１０は、横框６ｂへネジ１１でネジ止めするための止着端１０ａ、底板１の底面に形成した係止溝１ｅに係合する係止端１０ｂ、底板１の底面に接触する支承辺１０ｃがアングル状に形成されている。
【００１８】
そして、前記支承金具１０の横框６ｂへの取り付けは、図３（Ａ）に示すように底板１が無荷重の状態において、底板１の底面と支承金具１０の支承辺１０ｃとの間に任意に定めた間隙Ｇ１が形成されるようにする。このとき、支承金具１０の係止端１０ｂと係止溝１ｅを同図に示すように係合させておくことにより、底板１と横框６ｂが連結された状態となるため、ハンドル１２による引出操作を行ったとき、底板１の前端１ａと横框６ｂとの当接面の間に間隙が発生するのを防止することができる。
【００１９】
このようにして完成した本発明の引出構造において、重量物を収納すると、図３（Ｂ）に示すように荷重Ｆ１が底板１に加わり、特に底板１の前端１ａが仮想線で示す定常状態の位置から降下してくる。そして、さらに収納物が増加し、大きくなった荷重Ｆ２が底板に加わると、図３（Ｃ）に示すように底板１の前端１ａの底面が支承金具１０の支承辺１０ｃと接触する。なお、このとき支承金具１０の係止端１０ｂの頂部が係止溝１ｅの底部に同時に接触するようにしてもよい。
【００２０】
このように、図３（Ａ）から図３（Ｃ）に至る過程における収納物による荷重の増加は、底板１の撓み変形により吸収され、横框６ｂに影響を及ぼすことがない。また、図３（Ｃ）の状態に至り、さらに荷重が増加した場合は、その増加分に相当する荷重が横框６ｂに影響を及ぼすことになるが、収納物の許容収納量における最大荷重になったとき、底板１が図３（Ｃ）の状態となるように底板１の剛性を定めておくことにより、横框６ｂへ荷重の影響が全く及ばないようにすることができる。
【実施例２】
【００２１】
本発明の第２実施例は、支承金具１０の取付スペースが狭小で余裕がない場合に対応できるようにしたもので、図４に示すように係止溝１ｅの前端を切欠して段部１ｆを形成するようにした。これにより、図５（Ａ）に示すように支承金具１０の取付位置を高くすることができるので、横框６ｂの下端部分に余裕がない場合においても本発明の実施が可能となる。この第２実施例の場合においても、支承金具１０は図５（Ｂ）乃至図５（Ｃ）に示すように第１実施例と全く同様に機能するので、所期の目的を達成することができる。
【図面の簡単な説明】
【００２２】
【図１】本発明を実施した引出の構成を示す分解斜視図である。
【図２】本発明の第１実施例の要部斜視図である。
【図３】本発明の第１実施例の機能構成を説明するための断面図である。
【図４】本発明の第２実施例の要部斜視図である。
【図５】本発明の第２実施例の機能構成を説明するための断面図である。
【図６】キャビネットセットの構成例を示す斜視図である。
【図７】従来の引出の構成を示す分解斜視図である。
【図８】従来の引出の構成を示す断面図である。
【図９】従来の引出の不具合の状態を示す断面図である。
【図１０】従来の引出の不具合の状態を示す正面図である。
【符号の説明】
【００２３】
Ｓ・・・・・・キャビネットセット
Ｓ１・Ｓ２・・引出
１・・・・・・底板
２・・・・・・背板
３・４・・・・側板
５・・・・・・スライダー
６・・・・・・鏡板
６ａ・６ｂ・・横框
６ｃ・６ｄ・・縦框
７・・・・・・覆板
９・・・・・・ネジ
１０・・・・・支承金具
１１・・・・・ネジ
１２・・・・・ハンドル
【図１】
2005074093.tif 000003
【図２】
2005074093.tif 000004
【図３】
2005074093.tif 000005
【図４】
2005074093.tif 000006
【図５】
2005074093.tif 000007
【図６】
2005074093.tif 000008
【図７】
2005074093.tif 000009
【図８】
2005074093.tif 000010
【図９】
2005074093.tif 000011
【図１０】
2005074093.tif 000012